(57)【要約】【課題】洗濯時の回転翼の回転により、洗濯物が大きく回転し、外槽が大きく回転方向に振られるため、蛇腹ホースの蛇腹部分で吸収できない引っ張り力が加わった場合に、外槽の底面に設けた温風吐出部材または循環ダクトと蛇腹ホースの水封代が少なくなり、外槽内の洗濯水の水圧により、水が温風吐出部材または循環ダクトと蛇腹ホースとの接続部の内周面の水封を破壊し、水が染み出てきて、床面が濡れる。【解決手段】温風吐出部材１６と循環ダクト１０とを接続し温風循環経路１５の一部を形成する弾力性を有する蛇腹ホース２７の温風吐出部材１６との接続部３２と蛇腹ホース２７の蛇腹部２８との連結部３０の内面には、全周にわたり内方へ突出する突出部３１を設ける。突出部３１は、温風吐出部材１６の温風吐出部材接続部３２の先端部３３に突出部３１の側壁３４が接するように設けられている。【選択図】図２
2006055251.tif 000002
【特許請求の範囲】
【請求項１】
筐体内に弾性的に吊支した外槽と、回転中心軸を略鉛直方向に有し前記外槽内に回転自在に支持した内槽と、前記内槽の内底部に回転自在に設けた回転翼と、前記内槽または回転翼を駆動する駆動手段と、前記内槽内に温風を供給する温風供給手段と、前記温風供給手段により送風される空気を加熱する加熱手段と、循環ダクトを有し前記温風供給手段による温風を循環させる温風循環経路と、前記温風循環経路の一部をなし前記外槽の底面に設けた温風吐出部材と、前記温風吐出部材と前記循環ダクトとを接続し前記温風循環経路の一部を形成する弾力性を有する蛇腹ホースとを備え、前記温風吐出部材との接続部、および、前記循環ダクトとの接続部のうち少なくとも一方と前記蛇腹ホースの最端蛇腹部との連結部の内面には、全周にわたり前記接続部の内周面より内方へ突出する突出部を設けた洗濯乾燥機。
【請求項２】
蛇腹部は一方の径方向の内寸を接続部の内径より大とし、他方の径方向の内寸を、前記接続部の内径より小とした請求項１記載の洗濯乾燥機。
【請求項３】
連結部およびその突出部は蛇腹部と略同一肉厚とした請求項１または２に記載の洗濯乾燥機。
【発明の詳細な説明】
【技術分野】
【０００１】
本発明は、内槽内に温風を送風して洗濯物を乾燥させる行程を有し、洗濯から乾燥までを一貫して実施できる洗濯乾燥機に関するものである。
【背景技術】
【０００２】
従来、この種の洗濯乾燥機は、温風循環経路を形成するために、蛇腹ホースが、弾性的に吊支された外槽側と、固定された筐体側を、弾性的に接続していた（例えば、特許文献１参照）。
【０００３】
図４、図５および図６は、従来の洗濯乾燥機を示したものである。以下、その構成について説明する。
【０００４】
図４および図５に示すように、筐体１は、内部に複数のサスペンション２によって弾性的に吊り下げた外槽３を設け、脱水時の振動をサスペンション２によって吸収する構成としている内槽４。外槽３の内部には、回転中心軸を略鉛直方向に有し、洗濯物または乾燥対象物を収容するを中空で２重構造とした洗濯・脱水軸５を中心に回転可能に配設し、内槽４の内底部に洗濯物や乾燥対象物を撹拌する回転翼６を回転自在に配設している。回転翼６は外周が傾斜面形状の鍋型に形成している。
【０００５】
また、内槽４の内部周壁には小孔（図示せず）を多数設けるとともに、上方には流体バランサ７を設けている。モータ８は、外槽３の底部に取り付け、洗濯または脱水時に回転力の伝達を洗濯・脱水軸５に切り換えるクラッチ９と洗濯・脱水軸５を介して、内槽４または回転翼６に連結している。
【０００６】
循環ダクト１０は、循環する湿った温風を除湿するもので、一端を乾燥用送風機１１の一端に接続している。乾燥用送風機１１の他端は、加熱手段であるヒータ１２を有する循環風通路１３に接続し、弾力性を有する上部連結部材１４を通って内槽４へ繋がっている。
【０００７】
外槽３の底面に温風循環経路１５の一部をなす温風吐出部材１６を設け、温風吐出部材１６と循環ダクト１０とを、温風循環経路１５の一部を形成する弾力性を有する蛇腹ホース１７により接続している。温風吐出部材１６から、排水弁１８を介して排水経路１９に連結している。
【０００８】
外槽３には、外槽３の上面を気密的に覆う外槽カバー２０を設けており、この外槽カバー２０に上部連結部材１４からの温風噴出口２１を開口している。さらに、外槽カバー２０に内蓋２２を開閉自在に設け、衣類を出し入れするようにしている。
【０００９】
筐体カバー２３は筐体１の上部を覆うもので、制御装置２４に接続した操作表示部２４ａを設けている。また、外槽３の底部に外槽３内に水を排水する排水弁１８を設けている。冷却用送風機２５は、筐体１の側面に取り付け、筐体１の内部に外槽３、循環ダクト１０などを冷却するように送風できるよう構成している。
【００１０】
制御装置２４は、操作表示部２４ａによる設定に基づいて、モータ（駆動手段）８、クラッチ９、乾燥用送風機（温風供給手段）１１、ヒータ（加熱手段）１２、冷却用送風機２５、排水弁１８などの動作を制御し、洗い、すすぎ、脱水、乾燥の各行程を制御するようにしている。
【００１１】
上記構成において動作を説明する。洗い行程では、排水弁１８を閉じた状態で、内槽４に洗濯物と洗剤を投入し、運転を開始すると所定の水位まで給水した後、モータ８を駆動する。このとき、伝達機構部のクラッチ９によりモータ８の動力を洗濯軸を介して回転翼６に伝達し、回転翼６が回転することで、洗濯物を撹拌して、洗濯物同士、または内槽４の内壁や回転翼６との接触により作用する機械力と、水流力により行われる。
【００１２】
脱水行程では、洗濯終了後、排水弁１８を開いて内槽４内の水を排水した後、伝達機構部のクラッチ９を脱水側に切り換えて、モータ８の動力を脱水軸を介し内槽４に伝達して回転させ、洗濯物に遠心力を与えることにより、水分を洗濯物から分離することで行う。
【００１３】
乾燥行程では、クラッチ９を洗濯側に切り換えてモータ８を駆動して回転翼６に伝達し、回転翼６を急速に正転、反転することで、脱水後に内槽４の内壁に張り付いた洗濯物を引き剥がす。つぎに、回転翼６を正転、反転させて洗濯物を引っかけて撹拌しながら、乾燥用送風機１１とヒータ１２とにより温風を温風噴出口２１に送る。
【００１４】
温風噴出口２１より内槽４に吹き込まれた温風は、洗濯物から水分を蒸発させた後、内槽４から外槽３の内側へ出た後、温風吐出部材１６、蛇腹ホース１７、循環ダクト１０を通り、再び、乾燥用送風機１１、ヒータ１２、温風噴出口２１に導かれ循環する。衣類から水分を蒸発させた高温多湿空気は、外槽３および循環ダクト１０を通過する際に、冷却用送風機２５の送風により冷却されて除湿し、その後、再び、乾燥用送風機１１、ヒータ１２に戻ることになる。
【００１５】
排水弁１８は、乾燥行程では、制御装置２４の制御により所定時間ごとに開閉し、外槽３および循環ダクト１０で除湿された除湿水を排水する。これにより、乾燥が進行する。
【特許文献１】特開２０００−３６４２０５号公報
【発明の開示】
【発明が解決しようとする課題】
【００１６】
しかしながら、このような従来の構成では、図６に示すように、洗濯時の回転翼６の回転により、洗濯物が大きく回転し、外槽が大きく回転方向に振られ、蛇腹ホース１７の蛇腹部分で吸収できない引っ張り力が加わった場合に、外槽の底面に設けた温風吐出部材１６または循環ダクトと蛇腹ホース１７の水封代が少なくなり、外槽内の洗濯水の水圧により、水が温風吐出部材１６または循環ダクトと蛇腹ホース１７との接続部の内周面２６を破壊し、水が染み出てきて、床面が濡れるという課題を有していた。
【００１７】
本発明は上記従来の課題を解決するもので、蛇腹ホースと温風吐出部材または循環ダクトの止水性を向上させるとともに、洗濯時の回転翼の回転により、洗濯物が大きく回転し、外槽が大きく回転方向に振られ、蛇腹ホースの蛇腹部分で吸収できない引っ張り力が加わり、外槽の底面に設けた温風吐出部材または循環ダクトと蛇腹ホースの水封代が少なくなった場合でも、外槽内の洗濯水の水圧により、水が温風吐出部材または循環ダクトと蛇腹ホースとの接続部の内周面の水封を破壊し、水が染み出てきて、床面が濡れるのを防止することを目的としている。
【課題を解決するための手段】
【００１８】
本発明は上記目的を達成するために、筐体内に弾性的に吊支した外槽と、回転中心軸を略鉛直方向に有し前記外槽内に回転自在に支持した内槽と、前記内槽の内底部に回転自在に設けた回転翼と、前記内槽または回転翼を駆動する駆動手段と、前記内槽内に温風を供給する温風供給手段と、前記温風供給手段により送風される空気を加熱する加熱手段と、循環ダクトを有し前記温風供給手段による温風を循環させる温風循環経路と、前記温風循環経路の一部をなし前記外槽の底面に設けた温風吐出部材と、前記温風吐出部材と前記循環ダクトとを接続し前記温風循環経路の一部を形成する弾力性を有する蛇腹ホースとを備え、前記温風吐出部材との接続部、および、前記循環ダクトとの接続部のうち少なくとも一方と前記蛇腹ホースの最端蛇腹部との連結部の内面には、全周にわたり前記接続部の内周面より内方へ突出する突出部を設けたものである。
【００１９】
これにより、洗濯時の回転翼の回転により、洗濯物が大きく回転し、外槽が大きく回転方向に振られ、蛇腹ホースの蛇腹部分で吸収できない引っ張り力が加わった場合においても、接続部の内周面より内方へ突出する突出部を設けることにより、蛇腹ホースの緊迫力も増し、温風吐出部材または循環ダクトと蛇腹ホースの水封代を変化させることがなく、外槽内の洗濯水の水圧により、水が温風吐出部材または循環ダクトと蛇腹ホースの接続部の内周面の水封を破壊することがなくなり、シール性が向上することで、水が染み出てきて、床面が濡れるのを防止することができる。
【発明の効果】
【００２０】
本発明の洗濯乾燥機は、水が温風吐出部材または循環ダクトと蛇腹ホースの接続部の内周面の水封を破壊し、水が染み出てきて、床面が濡れるのを防止することができる。
【発明を実施するための最良の形態】
【００２１】
第１の発明は、筐体内に弾性的に吊支した外槽と、回転中心軸を略鉛直方向に有し前記外槽内に回転自在に支持した内槽と、前記内槽の内底部に回転自在に設けた回転翼と、前記内槽または回転翼を駆動する駆動手段と、前記内槽内に温風を供給する温風供給手段と、前記温風供給手段により送風される空気を加熱する加熱手段と、循環ダクトを有し前記温風供給手段による温風を循環させる温風循環経路と、前記温風循環経路の一部をなし前記外槽の底面に設けた温風吐出部材と、前記温風吐出部材と前記循環ダクトとを接続し前記温風循環経路の一部を形成する弾力性を有する蛇腹ホースとを備え、前記温風吐出部材との接続部、および、前記循環ダクトとの接続部のうち少なくとも一方と前記蛇腹ホースの最端蛇腹部との連結部の内面には、全周にわたり前記接続部の内周面より内方へ突出する突出部を設けたものであり、洗濯時の回転翼の回転により、洗濯物が大きく回転し、外槽が大きく回転方向に振られるため、蛇腹ホースの蛇腹部分で吸収できない引っ張り力が加わった場合においても、接続部の内周面より内方へ突出する突出部を設けることにより、蛇腹ホースの緊迫力も増し、温風吐出部材または循環ダクトと蛇腹ホースの水封代を変化させることがなく、外槽内の洗濯水の水圧により、水が温風吐出部材または循環ダクトと蛇腹ホースの接続部の内周面の水封を破壊することがなくなり、シール性が向上することで、水が染み出てきて、床面が濡れるのを防止することができる。
【００２２】
第２の発明は、上記第１の発明において、蛇腹部は一方の径方向の内寸を接続部の内径より大とし、他方の径方向の内寸を、前記接続部の内径より小としたものであり、洗濯時の回転翼の回転により、洗濯物が大きく回転し、外槽が大きく回転方向に振られ、蛇腹ホースの蛇腹部分で吸収できない引っ張り力が加わった場合においても、シール性が向上することで、水が染み出てきて、床面が濡れるのを防止するとともに、外槽底部や排水経路との交差する空間距離を広くすることができ、接触による磨耗、ホースの穴あきを防止することができる。
【００２３】
第３の発明は、上記第１または２の発明において、連結部およびその突出部は蛇腹部と略同一肉厚としたものであり、洗濯時の回転翼の回転により、洗濯物が大きく回転し、外槽が大きく回転方向に振られ、蛇腹ホースの蛇腹部分で吸収できない引っ張り力が加わった場合においても、接続部の内周面へ影響しない蛇腹側での屈曲性を向上させることができるので、接続部のシール性を向上させることができるので、水が染み出てきて、床面が濡れるのを防止することができる。
【００２４】
以下、本発明の実施の形態について、図面を参照しながら説明する。なお、従来例と同じ構成のものは同一符号を付して説明を省略する。また、この実施の形態によって本発明が限定されるものではない。
【００２５】
（実施の形態１）
図1は、本発明の第１の実施の形態における洗濯乾燥機の縦断面図、図２（ａ）は、同洗濯乾燥機の要部横断面図、図２（ｂ）は、同洗濯乾燥機の要部縦断面図である。
【００２６】
図１に示すように、温風循環経路１５の一部を形成する弾力性を有する蛇腹ホース２７は、温風吐出部材１６と循環ダクト１０とを接続している。蛇腹ホース２７の蛇腹部２８は、略水平方向の内寸Ａが、図２（ａ）に示すように、温風吐出部材１６との接続部分である蛇腹ホース接続部２９の内径Ｂより大となるようにし、一方、略鉛直方向の内寸Ｃが、図２（ｂ）に示すように、接続部２９の内径Ｂより小となるようにしている。
【００２７】
また、蛇腹ホース２７の蛇腹ホース接続部２９と蛇腹部２８との連結部３０の内面には、全周にわたり蛇腹ホース接続部２９の内周面より内方へ突出する突出部３１を設けている。突出部３１は、温風吐出部材１６の温風吐出部材接続部３２の先端部３３に突出部３１の側壁３４が接するように設けられている。
【００２８】
蛇腹ホース２７の蛇腹ホース接続部２９の外周には、抜け防止用にホースバンド３５を締まり嵌めにてセットしている。他の構成は従来例と同じである。
【００２９】
上記構成において、その作用を説明する。なお、給水から乾燥行程までの動作は従来例と同じであるので説明を省略する。
【００３０】
洗濯時の回転翼６の回転により、洗濯物が大きく回転し、外槽が大きく回転方向に振られ、蛇腹ホース２７の蛇腹部２８で吸収できない引っ張り力が加わった場合においても、蛇腹ホース接続部２９の内周面より内方へ突出する突出部３１を、温風吐出部材１６の温風吐出部材接続部３２の先端部３３に突出部３１の側壁３４が接するように設けているので、温風吐出部材１６の温風吐出部材接続部３２を蛇腹ホース２７が抱き込む形となり、蛇腹ホース接続部２９の緊迫力が増すため、水封代を変化させることがなく、外槽３内の洗濯水の水圧により、水が温風吐出部材１６と蛇腹ホース２７との接続部の水封性を破壊することがなくなり、シール性が向上するものである。
【００３１】
また、洗濯時には洗濯物や、それを洗うための洗濯水が外槽内に入っているため、サスペンション２が圧縮状態となる。このとき、蛇腹ホース２７は、外槽３側と筐体１側を連結しているため、鉛直方向への変形を強いられ、その際に、外槽３の底部との距離が近くなる。一方、負荷の少ない脱水時には、外槽３は上方に移動するため、今度は排水経路１９との距離が近くなる。
【００３２】
本構成では、蛇腹ホース２７の蛇腹部２８は、略水平方向の内寸Ａが、温風吐出部材１６との接続部分である蛇腹ホース接続部２９の内径Ｂより大となるようにし、一方、略鉛直方向の内寸Ｃが、接続部２９の内径Ｂより小となるようにし、循環経路の断面積を蛇腹ホース接続部２９の断面積と略同等にしているため、外槽３の底部や排水経路１９との交差する空間距離を多く持て、かつ、循環風量は低下させないことができ、接触による磨耗やホースの穴あきを防止しつつ、乾燥性能の低下を防止することができる。
【００３３】
なお、本実施の形態では、温風吐出部材１６との接続部側に、蛇腹ホース２７の蛇腹部２８との連結部の内面に、全周にわたり蛇腹ホース接続部２９の内周面より内方へ突出する突出部３１を設けた説明を行ったが、循環ダクト１０との接続部側も同様に構成しても、同等の効果を得られるものである。
【００３４】
（実施の形態２）
図３は、本発明の第２の実施の形態における洗濯乾燥機の要部断面図である。
【００３５】
図３に示すように、温風循環経路１５の一部を形成する弾力性を有する蛇腹ホース３９は、温風吐出部材１６と循環ダクト１０とを接続している。蛇腹ホース３９の温風吐出部材１６との接続部である蛇腹ホース接続部３６と蛇腹部３７との連結部３８は、蛇腹部３７と略同一肉厚としたものである。他の構成は実施の形態１と同じである。
【００３６】
上記構成において、その作用を説明する。
【００３７】
蛇腹ホース３９の連結部３８を蛇腹部３７と略同一肉厚としたため、蛇腹ホース接続部３６の構成に影響を与えることなく、連結部３８で屈曲しやくなり、温風吐出部材１６との接続部と蛇腹ホース３９の水封代を変化させることがなく、外槽３内の洗濯水の水圧により、水が温風吐出部材１６と蛇腹ホース３９との接続部の水封性を破壊することがなくなり、シール性が向上するものである。
【産業上の利用可能性】
【００３８】
以上のように、本発明にかかる洗濯機は、外槽内の洗濯水の水圧により、水が温風吐出部材または循環ダクトと蛇腹ホースとの接続部の内周面の水封を破壊することがなくなり、シール性が向上することで、水が染み出てきて、床面が濡れるのを防止することができるので、蛇腹ホースで温風吐出部材と循環ダクトを接続する洗濯乾燥機として有用である。
【図面の簡単な説明】
【００３９】
【図１】本発明の実施の形態１の洗濯機の縦断面図
【図２】（ａ）同洗濯乾燥機の要部横断面図（ｂ）同洗濯乾燥機の要部縦断面図
【図３】本発明の第２の実施の形態における洗濯乾燥機の要部断面図
【図４】従来の洗濯乾燥機の縦断面図
【図５】同洗濯乾燥機の要部断面図
【図６】同洗濯乾燥機の要部断面図
【符号の説明】
【００４０】
１    筐体
３    外槽
４    内槽
６    回転翼
８    モータ（駆動手段）
１０  循環ダクト
１１  乾燥用送風機（温風供給手段）
１２  ヒータ（加熱手段）
１５  温風循環経路
１６  温風吐出部材
２７  蛇腹ホース
３１  突出部
【図１】
2006055251.tif 000003
【図２】
2006055251.tif 000004
【図３】
2006055251.tif 000005
【図４】
2006055251.tif 000006
【図５】
2006055251.tif 000007
【図６】
2006055251.tif 000008